(57)【要約】      （修正有）【課題】杖、棒、バー、携帯電話、マウス、キーボード、計算機、キャリーバッグ類、楽器、傘、文具類等、手で握ったり触ったり掴んだりして操作や活動するものに対し、大きさや太さに関係なく、貼り付けて使うことが可能な汗取り滑り止めシートを提供する。【解決手段】吸湿性に優れる多孔質の発泡ポリウレタンもしくはナイロントリコットと多孔質ポリウレタンでできた基布層１の裏に、再剥離性の高い粘着剤が裏側に貼付されたフィルム層２とする。適当な大きさにはさみ類でカットし、粘着剤側の剥離紙をはがし、使用する部位に貼り付けることで固定する。捺染、カッティングシート類の熱圧着、さらに、同様のカッティングを別色に行い、それを差し替えすることで意匠性を出したり、ラバーシートや転写シートを熱圧着により行ったり、捺染を行うことで意匠性をだすことが可能である。【選択図】図１
0003205568.tif 000002
【実用新案登録請求の範囲】
【請求項１】
吸湿性に優れる多孔質の発泡ポリウレタンもしくはナイロントリコットと多孔質ポリウレタンでできた基布層と、再剥離性の高い粘着剤を裏側に貼付したフィルム層の2層からなり、その粘着性を用いて手で握ったり触ったり掴んだりして、操作や活動する部位に貼り付け、吸湿性に優れる吸湿性に優れる多孔質の発泡ポリウレタンもしくはナイロントリコットと多孔質ポリウレタンでできた基布層が固定される汗とり滑り止めシート
適当な大きさにはさみ類でカットし、粘着剤側の剥離紙をはがし、使用する部位に貼り付けることで固定、さらには、同様のカッティングを別色に行い、それを差し替えすることで意匠性を出したり、ラバーシートや転写シートを熱により圧着を行ったり、捺染を行うことで意匠性を持つことも可能な汗とり滑り止めシート
【考案の詳細な説明】
【技術分野】
【０００１】
本考案は、使用者が手で握ったり触ったり掴んだりして、操作や活動する物に対し貼り付けて使用することができる汗取り滑り止めシートに関する。
【背景技術】
【０００２】
手汗をかいた状態で物を握った時、 滑ってしまうことが多々ある。 そのため、 使用者が掴んだり握ったりして、 操作や活動する物（例えば、 車両や自転車のハンドルや、 足の不自由な使用者が利用する杖等）には、 滑り止めがつけられていることが多い。
【０００３】
現在、 すべり止めとして使われる素材の多くは表面がフラットな合成素材であることが多く、吸湿性についてはそれほど高いものではなく、多くの汗をかいたり手が濡れたりした状態で握った際には、やはり滑ってしまうことが多い。 さらに意匠性については、ほぼないに等しい。また、そのほとんどは製造過程において、 使用者が操作する物に固定された状態であるため経年劣化等の傷みが発生した場合には取替えが不可能な状況にある。そのため、汗取り具として相応しい素材であるとは言えない。（例えば、 下記の特許文献1を参照。）
それに対し本考案は、意匠性を持たせた着脱可能な滑り止めシートを提供することを目的とする。
【先行技術文献】
【特許文献】
【０００４】
特許出願公開番号
特開  ２０００−２４８４７０
（P２０００−２４８４７０A）
【考案の概要】
【考案が解決しようとする課題】
【０００５】
握ったり触ったり掴んだり、 操作や活動する部位に取り付ける滑り止め具を、 タオル等の 吸湿性の良好な素材で形成した場合、落ちないように、且つその操作性の邪魔をしないように固定することは困難である。特に、携帯電話、デジタルカメラ、計算機、キーボード等の手で扱う小さなアイテムに対して固定することは困難である。
【０００６】
本考案はこのような点に鑑み、汗取り具を張り付けて固定することにより操作性を邪魔せず、 小さな部位でも操作中でも利用可能な汗取り滑り止めシートを提供することにある。
【０００７】
また、本考案は利用者自らがカットすることで大きさを調整することが可能であり、 取り付けるものの太さ、大きさによらず適正に装着させることができるほか、別色で同じカッティングを施した材を差し替えることにより、または、ラバーシートを転写、もしくは捺染を行ったりして意匠性にとんだ汗取り滑り止めシートを提供することにある。
【０００８】
さらに本考案は、厚みが1mm以下であり、且つ、再剥離性の高い粘着剤を裏に添付してあるため、 手が当たるなどの外部衝撃が加わっても動きにくい状態を作ることが可能であり、 掴んだり握ったりして、 操作や活動する部位の操作性を邪魔しない汗取り滑り止めシートを提供することにある。
【課題を解決するための手段】
【０００９】
本考案の汗取り滑り止めシートの技術手段は、  吸湿性に優れる多孔質の発泡ポリウレタンもしくはナイロントリコットと多孔質ポリウレタンでできた基布層と、再剥離性の高い粘着剤を裏側に貼付したフィルム層の2層から構成される。
再剥離性の高い粘着層の剥離紙を外し、使用したい部位に添付することで、表面のなめらかな場所であればどこでも取り付けることができる。
【００１０】
また、  本考案による汗取り滑り止めシートは、 操作や活動する部位に取り付けたまま使用が可能である。 そのため、 操作や活動中に手汗をかいた場合に探す必要がないため、 通常の汗取り具に比べて操作に与える影響が少ない。  
【００１１】
さらに、 薄いすべり止めを粘着剤で貼り付けることで、 操作・活動中に外部からの衝撃が あったとしてもずれる心配が少なく、粘着シートに再剥離性の高い物を用いることで、貼付、取外しが可能であるため、糊残りによって貼り付けた場所を汚す心配も少ない。
【００１２】
加えて、意匠性については、通常滑り止めに使われる素材は熱に弱く、熱圧着による意匠性を出しにくいが、熱を掛ける時間及び圧力を調整することにより、カッティングを行ったラバーシート、もしくは転写シートを圧着することを可能とした。捺染をおこなうことも問題なく行えるため、これまでに比べ、意匠性を大幅に増大させていることも特徴の一つだ。同様のカッティングを別色に行い、それを差し替えすることで意匠性を出すことも可能である。
【考案の効果】
【００１３】
本考案による本考案による汗取り滑り止めシートは、操作や活動する部位に取り付けたまま使用が可能である。そのため、操作や活動中に手汗をかいた場合でも手汗を拭きとる必要性が低い為、それがない場合に比べて手汗が操作に与える影響が少ない。
【００１４】
また、汗取り滑り止めシートは薄く、ずれにくい性質を持つ再剥離材が添付してあるため、操作・活動中に外部からの衝撃があったとしてもずれる心配が少ない。
【００１５】
さらに、捺染、熱圧着、別色生地の差し替えにより意匠性をだすことが容易であるため、操作・活動部の意匠性を高めることができ、使用者の心理的満足度を高めることも可能である。
【図面の簡単な説明】
【００１６】
【図１】本考案の汗取り滑り止めシートの構造の解した断面図である。
【図２】本考案の実施例の汗取り滑り止めシートを、カットした状態の表面図である。
【図３】本考案の実施例の汗取り滑り止めシートに、捺染を行った状態の表面図である。
【図４】本考案の実施例の汗取り滑り止めシートを、カットして差し替えを行った状態の表面図である。
【図５】本考案の実施例の汗取り滑り止めシートを、杖操作部に貼付を行った状態の表面図である。
【考案を実施するための形態】
【００１７】
本考案の汗取り滑り止めシートを実施するための形態を、図面の実施例に基づいて説明する。
【実施例】
【００１８】
図１は、本考案実施例に係る汗取り滑り止めシートの断面図である。基布層と粘着層との２層からなる構造であることが理解できる図にした。
【００１９】
図２は、本考案汗取り滑り止めシートを、使いやすいようにカットした際の表面図である。剥離紙の上に、粘着層により本考案汗取り滑り止めシートが固定されている図にした。このシートを一つずつ取り、操作・活動部に貼り付けて使用する。
【００２０】
図３は、本考案汗取り滑り止めシートを計算機用にカットし、その上に捺染を行った際の表面図である。
【００２１】
図４は、本考案汗取り滑り止めシートを、別色で同じ柄をカットし、パーツを差し替えることで意匠性を出した際の表面図である。
【００２２】
図５は、本考案汗取り滑り止めシートをカットし、杖操作部に貼付した際の図である。
【００２３】
本考案汗取り滑り止めシートを操作部に貼付する際には、カットされた滑り止めシートを平滑な操作部に貼付して装着、固定し、使用できる。
【００２４】
本考案は、前記の実施例に限定されるものではなく、実用新案登録請求の範囲の記載の範囲内で自在に変形実施可能である。特に基布層の種類、粘着剤の種類、捺染、圧着、カット、差替方法の種類、色、大きさについても自由である。
【符号の説明】
【００２５】
１…基布層、２…フィルム層、３…汗取り滑り止めシート、４…剥離紙、
５…捺染、圧着部、６…汗取り滑り止めシート（ブラック）、
７…汗取り滑り止めシート（ホワイト）、８…杖操作部
【図１】
0003205568.tif 000003
【図２】
0003205568.tif 000004
【図３】
0003205568.tif 000005
【図４】
0003205568.tif 000006
【図５】
0003205568.tif 000007
【手続補正書】
【提出日】平成28年6月1日(2016.6.1)
【手続補正１】
【補正対象書類名】実用新案登録請求の範囲
【補正対象項目名】全文
【補正方法】変更
【補正の内容】
【実用新案登録請求の範囲】
【請求項１】
吸湿性に優れる多孔質の発泡ポリウレタンもしくはナイロントリコットと多孔質ポリウレタンでできた基布層と、
再剥離性の高い粘着剤を裏側に貼付したフィルム層と、
を備え、
前記基布層と前記フィルム層との２層からなり、前記フィルム層の粘着性を用いて手で握ったり触ったり掴んだりして、操作や活動する部位に貼り付けられることで前記基布層が固定される
ことを特徴とする汗とり滑り止めシート。
【請求項２】
適当な大きさにはさみ類でカットし、粘着剤側の剥離紙をはがし、使用する部位に貼り付けることで固定、さらには、同様のカッティングを別色に行い、それを差し替えすることで意匠性を出したり、ラバーシートや転写シートを熱により圧着を行ったり、捺染を行うことで意匠性を持つことも可能な
請求項１に記載の汗とり滑り止めシート。